【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
第１の感光体及び第２の感光体と、
前記第１の感光体に駆動力を与える第１駆動部及び前記第２の感光体に駆動力を与える第２駆動部と、
前記第１の感光体と前記第２の感光体間に配置されるベルト及び該ベルトを駆動するベルト駆動部と、
前記第１の感光体が回転すると位置が変化する第１マーク及び前記第２の感光体が回転すると位置が変化する第２マークと、
前記第１マークを検知する第１検知部及び前記第２マークを検知する第２検知部と、
前記第１マークが前記第１検知部を通過するタイミングと前記第２マークが前記第２検知部を通過する時間差を求め、前記第１駆動部を停止してから前記第２駆動部を停止するまでの時間を決定するとともに、前記ベルト駆動部の停止タイミングを前記第１駆動部を停止してから前記第２駆動部が停止するまでの間に停止する制御部と、を含むことを特徴とする画像形成装置。
【請求項２】
請求項１に記載の画像形成装置において、
前記第１の感光体は前記第１駆動部から駆動力を受ける第１感光体ギヤを有し、
前記第２の感光体は前記第２駆動部から駆動力を受ける第２感光体ギヤを有し、
前記第１マークは前記第１感光体ギヤの回転に同期して位置が回転移動し、
前記第２マークは前記第２感光体ギヤの回転に同期して位置が回転移動する、ことを特徴とする画像形成装置。
【請求項３】
請求項１に記載の画像形成装置において、
前記制御部は、前記第１駆動部の停止とともに前記ベルト駆動部を停止し、その後に前記第２駆動部を停止することを特徴とする画像形成装置。
【請求項４】
請求項１に記載の画像形成装置において、
前記第１マークを持ち、前記第１駆動部から駆動力を受けて前記第１の感光体を回転する第１感光体駆動ギヤと、
前記第２マークを持ち、前記第２駆動部から駆動力を受けて前記第２の感光体を回転する第２感光体駆動ギヤとを持つことを特徴とする画像形成装置。
【請求項５】
請求項４に記載の画像形成装置において、
前記制御部は、前記第１駆動部の停止とともに、前記ベルト駆動部を停止し、その後に前記第２駆動部を停止することを特徴とする画像形成装置。
【請求項６】
複数の感光体及び該各感光体をそれぞれ回転駆動する複数の駆動部と、
前記複数の感光体に接触するベルトを駆動するベルト駆動部と、
前記各感光体の回転に伴って回転変位する複数の被検出部と、
前記回転変位する各被検出部と同一の定位置で対向すべくそれぞれ配され、該回転変位する各被検出部を対向位置で検出すると検出信号を出力する複数の検出部と、
前記複数の感光体を同時に回転開始させるべく前記複数の駆動部を同時的に駆動制御すると共に前記ベルト駆動部を駆動制御する駆動制御部と、
前記各検出部から検出信号を受信する毎に受信時間差に基づいて前記各感光体の回転位相差を判定し、該回転位相差に対応させて前記各感光体の駆動部を順に停止させる停止制御部と、
停止順が最初の前記駆動部を停止させてから停止順が最後の駆動部を停止させる前に前記ベルト駆動部を停止させるベルト駆動停止部と、
を含むことを特徴とする画像形成装置。
【請求項７】
搬送部に配置される複数個の感光体のそれぞれの基準位置を前記感光体の回転中に基準位置検出部によって検出し、該検出結果に基づいて、前記複数個の感光体の回転駆動と前記搬送部の搬送駆動とをそれぞれ所定の時間に停止させて、前記複数個の感光体毎の回転位相差を所定の値に設定する、感光体の位置設定方法であって、
前記基準位置検出部の検出結果に基づいて前記複数個の感光体それぞれの回転駆動停止時間と前記搬送部の搬送駆動停止時間とを設定するドラム・ベルト駆動時間算出手順と、
該ドラム・ベルト駆動時間算出手順の算出結果に基づいて前記いずれかの感光体の駆動停止タイミングに対応させて前記搬送部の搬送駆動を停止させる駆動停止手順とを備えることを特徴とする感光体の位置設定方法。
【請求項８】
請求項７に記載の感光体の位置設定方法に於いて、
前記ドラム・ベルト駆動時間算出手順は、
前記基準位置検出部が最初に前記基準位置を検出した感光体を基準回転駆動停止時間に設定し、続いて基準位置を検出した感光体の順番に回転駆動停止時間を設定することを特徴とする感光体の位置設定方法。
【請求項９】
請求項７に記載の感光体の位置設定方法に於いて、
前記ドラム・ベルト駆動時間算出手順は、
前記基準回転駆動停止時間を設定する感光体を、位相差設定の度毎に変更し、回転駆動停止時間を設定することを特徴とする感光体の位置設定方法。
【請求項１０】
請求項７に記載の感光体の位置設定方法に於いて、
前記ドラム・ベルト駆動時間算出手順は、
前記複数個の感光体の内、最も累積回転数の少ない感光体を選択し、前記基準回転駆動停止時間を設定することを特徴とする感光体の位置設定方法。
【請求項１１】
請求項７から請求項１０までの何れか一項に記載の感光体の位置設定方法に於いて、
前記ドラム・ベルト駆動時間算出手順は、
前記複数個の感光体の回転駆動停止時間の中で、最も早い回転駆動停止時間と最も遅い回転停止時間とを除いた回転駆動停止時間の中で、最も早い回転駆動停止時間と最も遅い回転停止時間との間に前記搬送部の停止時間を設定することを特徴とする感光体の位置設定方法。
【請求項１２】
請求項７に記載の感光体の位置設定方法に於いて、
前記ドラム・ベルト駆動時間算出手順の算出結果に基づいて、
前記複数個の感光体の回転量（回転速度×回転時間）を算出し、前記複数個の感光体毎に、それぞれの回転量を維持しながら前記回転速度を変更するドラム速度変更手順、及び、前記搬送部の移動量（移動速度×移動時間）を算出し、該移動量を維持しながら、前記移動速度を変更するベルト速度変更手順の少なくとも一方を更に備えることを特徴とする感光体の位置設定方法。
【手続補正２】
【補正対象書類名】明細書
【補正対象項目名】０００９
【補正方法】変更
【補正の内容】
【０００９】
解決しようとする問題点は、複数の感光体の位相を合わせるために感光体に対してベルトが擦れながら回転するので、感光体の摩耗が部分的に進み、その結果、画像の劣化が発生する点である。
【手続補正３】
【補正対象書類名】明細書
【補正対象項目名】００１０
【補正方法】変更
【補正の内容】
【００１０】
本発明は、第１の感光体及び第２の感光体と、上記第１の感光体に駆動力を与える第１駆動部及び上記第２の感光体に駆動力を与える第２駆動部と、上記第１の感光体と上記第２の感光体間に配置されるベルト及び該ベルトを駆動するベルト駆動部と、上記第１の感光体が回転すると位置が変化する第１マーク及び上記第２の感光体が回転すると位置が変化する第２マークと、上記第１マークを検知する第１検知部及び上記第２マークを検知する第２検知部と、上記第１マークが上記第１検知部を通過するタイミングと上記第２マークが上記第２検知部を通過する時間差を求め、上記第１駆動部を停止してから上記第２駆動部を停止するまでの時間を決定するとともに、上記ベルト駆動部の停止タイミングを上記第１駆動部を停止してから上記第２駆動部が停止するまでの間に停止する制御部とを含むことを特徴とする。
【手続補正４】
【補正対象書類名】明細書
【補正対象項目名】００１１
【補正方法】変更
【補正の内容】
【００１１】
感光体を回転させたままベルトを停止させることによって、感光体が部分的にベルトと擦れ状態になる時間をより一層短縮できるので、感光体の擦れによる寿命低下を低減することが出来る。その結果、画像劣化の少ない良好な出力画像を得ることが出来るという効果を得る。